(57)【要約】【課題】その曲が誰の何という曲であるのかを容易に知らせることができ、潜在的な曲購入機会を掘り起こすことが可能な曲再生装置、及び情報提供システム等を提供する。【解決手段】本発明は、ユーザにより選曲された曲を再生する曲再生手段と、前記再生された曲を特定するための曲特定情報を取得する曲特定情報取得手段と、前記再生された曲を選曲したユーザを特定するためのユーザ特定情報を取得するユーザ特定情報取得手段と、前記取得された曲特定情報と前記取得されたユーザ特定情報とに基づいて、前記再生された曲の紹介情報が記述されたＷｅｂページのネットワーク上における所在を示す所在情報を取得する所在情報取得手段と、前記取得された所在情報を含む情報を出力する情報出力手段と、を備える。【選択図】図５
2011191518.tif 000002
【特許請求の範囲】
【請求項１】
ユーザにより選曲された曲を再生する曲再生手段と、
前記再生された曲を特定するための曲特定情報を取得する曲特定情報取得手段と、
前記再生された曲を選曲したユーザを特定するためのユーザ特定情報を取得するユーザ特定情報取得手段と、
前記取得された曲特定情報と前記取得されたユーザ特定情報とに基づいて、前記再生された曲の紹介情報が記述されたＷｅｂページのネットワーク上における所在を示す所在情報を取得する所在情報取得手段と、
前記取得された所在情報を含む情報を出力する情報出力手段と、
を備えることを特徴とする曲再生装置。
【請求項２】
請求項１に記載の曲再生装置において、
前記取得された所在情報を２次元コードに変換する変換手段を更に備え、
前記情報出力手段は、前記変換された２次元コードをディスプレイに表示出力することを特徴とする曲再生装置。
【請求項３】
請求項１又は２に記載の曲再生装置において、
前記Ｗｅｂページの前記所在情報を前記曲特定情報と前記ユーザ特定情報との組に対応付けて登録するサーバにネットワークを介してアクセスするアクセス手段を更に備え、
前記所在情報取得手段は、前記アクセスしたサーバに、前記取得された曲特定情報と前記取得されたユーザ特定情報を送信することにより、当該送信された前記曲特定情報と前記ユーザ特定情報の組に対応付けられて登録されている前記Ｗｅｂページの前記所在情報を前記サーバから取得することを特徴とする曲再生装置。
【請求項４】
請求項１乃至３の何れか一項に記載の曲再生装置において、
前記紹介情報には、前記ユーザにより入力された情報が含まれることを特徴とする曲再生装置。
【請求項５】
請求項１乃至４の何れか一項に記載の曲再生装置において、
前記Ｗｅｂページには、前記再生された曲を購入するためのボタンが設けられていることを特徴とする曲再生装置。
【請求項６】
ユーザにより選曲された曲を再生する曲再生装置と、当該曲再生装置がネットワークを介してアクセス可能なサーバと、を備える情報提供システムであって、
前記曲再生装置は、
前記再生された曲を特定するための曲特定情報を取得する曲特定情報取得手段と、
前記再生された曲を選曲したユーザを特定するためのユーザ特定情報を取得するユーザ特定情報取得手段と、
前記取得された曲特定情報と前記取得されたユーザ特定情報と前記サーバに送信する送信手段と、
を備え、
前記サーバは、
前記再生された曲の紹介情報が記述されたＷｅｂページのネットワーク上における所在を示す所在情報を前記曲特定情報と前記ユーザ特定情報の組に対応付けて登録するデータベースと、
前記曲再生装置から送信されてきた前記曲特定情報と前記ユーザ特定情報を受信する受信手段と、
前記受信された前記曲特定情報と前記ユーザ特定情報の組に対応付けられた前記所在情報を前記データベースから取得して前記曲再生装置に送信する送信手段と、
を備え、
前記曲再生装置は、前記サーバから送信された所在情報を受信し、当該所在情報を含む情報を出力する情報出力手段を更に備えることを特徴とする情報提供システム。
【請求項７】
ユーザにより選曲された曲を再生するコンピュータを、
前記再生された曲を特定するための曲特定情報を取得する曲特定情報取得手段、
前記再生された曲を選曲したユーザを特定するためのユーザ特定情報を取得するユーザ特定情報取得手段、
前記取得された曲特定情報と前記取得されたユーザ特定情報とに基づいて、前記再生された曲の紹介情報が記述されたＷｅｂページのネットワーク上における所在を示す所在情報を取得する所在情報取得手段、及び、
前記取得された所在情報を含む情報を出力する情報出力手段として機能させることを特徴とする情報提供プログラム。
【請求項８】
ユーザにより選曲された曲を再生する工程と、
前記再生された曲を特定するための曲特定情報を取得する工程と、
前記再生された曲を選曲したユーザを特定するためのユーザ特定情報を取得する工程と、
前記取得された曲特定情報と前記取得されたユーザ特定情報とに基づいて、前記再生された曲の紹介情報が記述されたＷｅｂページのネットワーク上における所在を示す所在情報を取得する工程と、
前記取得された所在情報を含む情報を出力する工程と、
を含むことを特徴とする情報提供方法。
【発明の詳細な説明】
【技術分野】
【０００１】
本発明は、ユーザにより選曲された曲を再生する曲再生装置と、当該曲再生装置がネットワークを介してアクセス可能なサーバと、を備える情報提供システムの技術分野に関する。
【背景技術】
【０００２】
近年、曲（音楽）配信オンラインサービスはエンターテイメントの新しい形態となっている。このようなエンターテイメントと並び、ＣＤ（Compact Disc）などの記録媒体も利用され続けている。例えばＣＤの利用形態の一つとして、ある店舗においてＤＪ等の選曲者が曲を選曲して店内で曲を再生することにより顧客に視聴させる形態がある。一方、特許文献１には、ＣＤに対する補足コンテンツを、インターネットなどのオンラインサービスの手段を用いて配信することのできる技術が提案されている。
【先行技術文献】
【特許文献】
【０００３】
【特許文献１】特開２００７−２５７８２０号公報
【発明の概要】
【発明が解決しようとする課題】
【０００４】
ところで、曲が流れている店舗等の空間において、ふと気に入った曲と出会うことがある。世界中の音楽が流通している今日、その曲が誰の何という曲であるのかを知ることが困難なことがあり、その場でいい曲と思いながらいつのまにか忘れてしまうことがある。これに加え、現在オンライン上のブログや掲示板などで個人が情報を配信でき、個人間で情報共有できるようなシステムが充実してきている一方、店舗などでふと耳にした曲を簡単に購入できるようなツールは充実していない。
【０００５】
そこで、本願は、このような問題の解消を課題の一例とし、その曲が誰の何という曲であるのかを容易に知らせることができ、潜在的な曲購入機会を掘り起こすことが可能な曲再生装置、及び情報提供システム等を提供することを目的とする。
【課題を解決するための手段】
【０００６】
上記課題を解決するため、請求項１に記載の発明は、ユーザにより選曲された曲を再生する曲再生手段と、前記再生された曲を特定するための曲特定情報を取得する曲特定情報取得手段と、前記再生された曲を選曲したユーザを特定するためのユーザ特定情報を取得するユーザ特定情報取得手段と、前記取得された曲特定情報と前記取得されたユーザ特定情報とに基づいて、前記再生された曲の紹介情報が記述されたＷｅｂページのネットワーク上における所在を示す所在情報を取得する所在情報取得手段と、前記取得された所在情報を含む情報を出力する情報出力手段と、を備えることを特徴とする。
【０００７】
請求項６に記載の発明は、ユーザにより選曲された曲を再生する曲再生装置と、当該曲再生装置がネットワークを介してアクセス可能なサーバと、を備える情報提供システムであって、前記曲再生装置は、前記再生された曲を特定するための曲特定情報を取得する曲特定情報取得手段と、前記再生された曲を選曲したユーザを特定するためのユーザ特定情報を取得するユーザ特定情報取得手段と、前記取得された曲特定情報と前記取得されたユーザ特定情報と前記サーバに送信する送信手段と、を備え、前記サーバは、前記再生された曲の紹介情報が記述されたＷｅｂページのネットワーク上における所在を示す所在情報を前記曲特定情報と前記ユーザ特定情報の組に対応付けて登録するデータベースと、前記曲再生装置から送信されてきた前記曲特定情報と前記ユーザ特定情報を受信する受信手段と、前記受信された前記曲特定情報と前記ユーザ特定情報の組に対応付けられた前記所在情報を前記データベースから取得して前記曲再生装置に送信する送信手段と、を備え、前記曲再生装置は、前記サーバから送信された所在情報を受信し、当該所在情報を含む情報を出力する情報出力手段を更に備えることを特徴とする。
【０００８】
請求項７に記載の発明は、ユーザにより選曲された曲を再生するコンピュータを、前記再生された曲を特定するための曲特定情報を取得する曲特定情報取得手段、前記再生された曲を選曲したユーザを特定するためのユーザ特定情報を取得するユーザ特定情報取得手段、前記取得された曲特定情報と前記取得されたユーザ特定情報とに基づいて、前記再生された曲の紹介情報が記述されたＷｅｂページのネットワーク上における所在を示す所在情報を取得する所在情報取得手段、及び、前記取得された所在情報を含む情報を出力する情報出力手段として機能させることを特徴とする。
【０００９】
請求項８に記載の発明は、ユーザにより選曲された曲を再生する工程と、前記再生された曲を特定するための曲特定情報を取得する工程と、前記再生された曲を選曲したユーザを特定するためのユーザ特定情報を取得する工程と、前記取得された曲特定情報と前記取得されたユーザ特定情報とに基づいて、前記再生された曲の紹介情報が記述されたＷｅｂページのネットワーク上における所在を示す所在情報を取得する工程と、前記取得された所在情報を含む情報を出力する工程と、を含むことを特徴とする。
【図面の簡単な説明】
【００１０】
【図１】本実施形態に係る情報提供システムの概要構成例を示す図である。
【図２】本実施形態に係る曲再生装置１の概要構成例を示す図である。
【図３】（Ａ）は、ＰＣ６における入力処理を示すフローチャートであり、（Ｂ）は、情報提供サーバ３におけるＷｅｂページの登録処理を示すフローチャートである。
【図４】（Ａ）は、曲情報一覧画面の一例を示す図であり、（Ｂ）は、紹介文入力画面の一例を示す図である。
【図５】曲再生装置１の制御部１９におけるＵＲＬ提供処理を示すフローチャートである。
【図６】再生された曲の紹介情報が記述されたＷｅｂページの表示例を示す図である。
【発明を実施するための形態】
【００１１】
次に、本願の最適な実施の形態について、図面に基づいて説明する。なお、以下に説明する実施の形態は、情報提供システムに対して本願を適用した場合の実施形態である。
【００１２】
先ず、図１を参照して、本実施形態に係る情報提供システムの構成及び機能を説明する。
【００１３】
図１は、本実施形態に係る情報提供システムの概要構成例を示す図である。
【００１４】
図１に示すように、情報提供システムＳは、主として、曲（音楽）再生装置１、ＵＲＬ（Uniform Resource Locator）提供装置２、及び情報提供サーバ３等を備えて構成されている。
【００１５】
曲再生装置１とＵＲＬ提供装置２は、例えばクラブ、飲食店（喫茶店やレストラン等）、又は休息所内等の施設内にセットで設置されており、特に、ＵＲＬ提供装置２は、当該施設内の例えば利用者（顧客）が使用する座席の各テーブル上に設置されている。また、曲再生装置１とＵＲＬ提供装置２とは有線又は無線により電気的に接続されており、曲再生装置１からＵＲＬ提供装置２へ所定のＷｅｂページ（情報提供サーバ３から提供されるＷｅページ）のＵＲＬ、又は当該ＵＲＬが変換されたＱＲコード（２次元コードの一例）が送信可能になっている。ここで、ＵＲＬは、ネットワーク上における所在を示す所在情報の一例であり、広い意味ではＵＲＩ（Uniform Resource Identifier）ともいう。
【００１６】
ＵＲＬ提供装置２は、ＵＳＢ（Universal Serial Bus）メモリＭａが接続されるＵＳＢポート２１、及び情報を表示するディスプレイ２２等を備えている。そして、例えば、ＵＲＬ提供装置２は、曲再生装置１からＵＲＬを受信した場合、このＵＲＬを、ＵＳＢポート２１に接続されているＵＳＢメモリＭａに転送し記憶させることができる。これにより、ＵＳＢメモリＭａに転送されたＵＲＬは、例えば当該ＵＳＢメモリＭａを接続可能なＵＳＢポートを備えるパーソナルコンピュータ（以下、「ＰＣ」という）４によりＷｅｂページの取得（Ｗｅｂブラウザで取得）に利用される。一方、ＵＲＬ提供装置２は、曲再生装置１からＱＲコードを受信した場合、このＱＲコードをディスプレイ２２に表示することができる。これにより、ディスプレイ２に表示されたＱＲコードは、例えばＱＲコード読み取り機能の付のカメラを有する携帯端末５（例えば、携帯電話機，スマートフォン，ＰＤＡ（Personal Digital Assistant），携帯ゲーム機等）により読み取られ当該ＱＲコードから抽出されたＵＲＬは、当該携帯端末５によりＷｅｂページの取得に利用される。
【００１７】
また、曲再生装置１と情報提供サーバ３は、ネットワークＮＷに接続されている。ネットワークＮＷは、例えば、インターネット、専用通信回線（例えば、ＣＡＴＶ（Community Antenna Television）回線）、移動体通信網、及びゲートウェイ等により構築されている。
【００１８】
情報提供サーバ３は、ＣＰＵ及び記憶装置（例えばハードディスク等から構成される）等を備え、ネットワークＮＷを介してアクセスしてきたＰＣ４や携帯端末５からのリクエスト（例えばＨＴＴＰ（Hyper Text Transfer Protocol）リクエスト）に応じてそのレスポンスとしてＷｅｂページを提供するＷｅｂサーバ等から構成されている。また、情報提供サーバ３は、ＰＣ４や携帯端末５に提供したＷｅｂページを通じて曲のダウンロード要求があった場合に所定の決済処理を経てＰＣ４や携帯端末５に曲のデータを配信する曲配信（販売）サーバでもある。なお、ＰＣ４及び携帯端末５は、上述したようにＵＲＬ提供装置２から提供されたＵＲＬにしたがってＷｅｂページをリクエストする。また、Ｗｅｂページは、例えば、ＨＴＭＬ（Hyper Text Markup Language）やＸＨＴＭＬ文書等の構造化文書ファイル等により構成される。
【００１９】
情報提供サーバ３の記憶装置には、ネットワークライブラリ３１とＵＲＬ管理データベース３２と曲データベース３３が構築されている。ネットワークライブラリ３１には、曲の紹介情報が記述されたＷｅｂページが曲毎に登録されており、ここに登録された各ＷｅｂページのＵＲＬは互いに異なる。また、各Ｗｅｂページには、各々のＷｅｂページで紹介される曲を特定するための曲特定情報が付与されており、各曲特定情報は各該ＷｅｂページのＵＲＬに対応付けられてＵＲＬ管理データベース３２に登録されている。なお、曲特定情報は、曲を識別できる情報であればどのような情報であっても良いが、例えば、曲毎に一意に割り当てられた曲ＩＤ、曲から抽出された曲調、曲の演奏時間（再生時間）、曲のタイトルとアーティストとの組などが挙げられる。
【００２０】
更に、ネットワークライブラリ３１には、ユーザが自ら入力した紹介情報（例えば、ユーザのコメント）を記述したＷｅｂページを登録することができる。この場合、当該Ｗｅｂページには、当該ユーザを特定するためのユーザ特定情報が付与されており、かかるユーザ特定情報は、当該Ｗｅｂページで紹介される曲を特定するための曲特定情報及び当該ＷｅｂページのＵＲＬに対応付けられてＵＲＬ管理データベース３２に登録されている。      
【００２１】
例えばＰＣ６を使用するユーザは、ＰＣ６からネットワークＮＷを介して情報提供サーバ３にアクセスし、後述する操作によって自ら入力した紹介情報を記述したＷｅｂページをネットワークライブラリ３１に登録させることができる。なお、ユーザ特定情報は、ユーザを識別できる情報であればどのような情報であっても良いが、例えば、ユーザ毎に一意に割り当てられたユーザＩＤ、パスワード、ユーザのメールアドレス、ユーザの指紋を表す指紋情報等が挙げられる。
【００２２】
また、曲データベース３３には、ＰＣ４や携帯端末５に配信する曲のデータが登録されている。
【００２３】
次に、図２を参照して、本実施形態に係る曲再生装置１の構成及び機能を説明する。
【００２４】
図２は、本実施形態に係る曲再生装置１の概要構成例を示す図である。
【００２５】
図２に示すように、曲再生装置１は、通信部１１、記憶部１２、装着部１３、曲再生部１４（曲再生手段の一例）、曲出力部１５、ＵＳＢポート１６、外部装置出力ポート１７、操作部１８、及び制御部１９等を備えて構成されている。
【００２６】
通信部１１は、ネットワークＮＷに接続するための通信機器を有する。
【００２７】
記憶部１２は、ハードディスク等から構成されており、各種プログラム（本願の情報提供プログラムを含む）及びデータ等が記憶されている。
【００２８】
装着部１３には、曲データを記録したＣＤ（Compact Disc）、ＤＶＤ等の曲記録媒体を装着可能になっている。
【００２９】
曲再生部１４は、光ピックアップ、サーボ回路、及びＤＳＰ等を備え、装着部１３に装着された曲記録媒体から曲データを読み取り所定の信号処理を行うことにより曲を再生するようになっている。
【００３０】
曲出力部１５は、曲再生部１４により再生された曲に係るオーディオ信号を、施設内に設置されたスピーカ（図示せず）に有線又は無線を介して出力するようになっている。これにより、スピーカから曲が音波として出力される。
【００３１】
ＵＳＢポート１６には、ＵＳＢメモリが接続可能になっている。
【００３２】
外部装置出力ポート１７は、ＵＲＬ提供装置２に有線又は無線により接続するためのインターフェースである。
【００３３】
操作部１８には、選曲者により選曲のために使用される操作ボタン等が備えられている。
【００３４】
制御部１９は、ＣＰＵ（Central Processing Unit）、ＲＡＭ（Random Access Memory）、及びＲＯＭ（Read Only Memory）等を備えており、ＣＰＵは例えばＲＯＭや記憶部１２に記憶されたプログラム（本願の情報提供プログラムを含む）を読み出し実行することにより、本願の曲特定情報取得手段、ユーザ特定情報取得手段、所在情報取得手段、アクセス手段、変換手段及び情報出力手段等として機能するようになっている。
【００３５】
具体的には、制御部１９は、選曲者としてのユーザにより選曲された曲の再生中に、当該再生された曲を特定するための曲特定情報を取得すると共に、当該再生された曲を選曲したユーザを特定するためのユーザ特定情報を取得する。そして、制御部１９は、取得された曲特定情報と取得されたユーザ特定情報とに基づいて、再生された曲の紹介情報が記述されたＷｅｂページのＵＲＬを取得し、取得したＵＲＬを含む情報をＵＲＬ提供装置２に出力するようになっている。ここで、ＵＲＬを含む情報の例としては、上述したＵＲＬ自体、又は当該ＵＲＬが変換されたＱＲコードが挙げられる。これにより、選曲者により選曲された曲を施設内で聴いている聴取者はＰＣ４又は携帯端末５により、当該曲の紹介情報が記述されたＷｅｂページを情報提供サーバ３から取得して閲覧することができる。
【００３６】
次に、本実施形態に係る情報提供システムＳの動作を説明する。
（Ｗｅｂページ登録動作）
先ず、図３等を参照して、Ｗｅｂページ登録動作を説明する。
【００３７】
図３（Ａ）は、ＰＣ６における入力処理を示すフローチャートであり、図３（Ｂ）は、情報提供サーバ３におけるＷｅｂページの登録処理を示すフローチャートである。
【００３８】
ＰＣ６のユーザは、例えばパスワード自動認証機能付きＵＳＢメモリＭｂをＰＣ６に接続するとＩＤ（パスワード）自動認証により、ＰＣ６はＵＳＢメモリＭｂから当該ユーザのユーザＩＤをユーザ特定情報として取得する（ステップＳ１）。なお、ユーザ特定情報の取得方法としては、ＵＳＢメモリＭｂから取得することに限定されるものではなく、例えばキーボードからユーザＩＤが入力されユーザ特定情報として取得されても良いし、ＰＣ６に接続される指紋認証機器から当該ユーザの指紋を表す指紋情報が入力されユーザ特定情報として取得されるものであっても良い。
【００３９】
次に、当該ユーザは、ＰＣ６の操作部を操作して、曲情報を管理するライブラリプログラムを起動させると（ステップＳ２）、上記取得されたユーザＩＤに基づきログインが行われると共に曲情報一覧（ライブラリ）画面がＰＣ６のディスプレイ上に表示される（ステップＳ３）。
【００４０】
図４（Ａ）は、曲情報一覧画面の一例を示す図であり、図４（Ｂ）は、紹介文入力画面の一例を示す図である。
【００４１】
図４（Ａ）に示す曲情報一覧画面には、ライブラリプログラムにより管理されている曲のタイトル、演奏時間、アーティスト名、アルバム名、及びジャンルが曲情報として表示されている。これらの曲は、例えば曲配信サーバから所定の決済処理を経てＰＣ６にダウンロードされた曲や、ユーザが購入したＣＤからＰＣ６に取り込まれた曲である。なお、ＣＤからＰＣ６に取り込まれた曲である場合、当該曲の曲情報は、ＣＤから読み取られたＴＯＣ（Table Of Contents）情報をキーとして、例えばネットワークＮＷに接続された所定のサーバ内にある公知のＣＤＤＢ(Compact Disc DataBase)から取得されライブラリプログラムにより管理される。
【００４２】
また、図４（Ａ）に示す曲情報一覧画面上には、「紹介文を書く」ボタン５１が表示されている。そして、ユーザが、例えばマウスを操作して、曲情報一覧画面上の曲の中から他者に紹介したい曲を選択した後、「紹介文を書く」ボタン５１を選択すると、選択された曲を特定するための曲特定情報が取得され（ステップＳ４）、図４（Ｂ）に示すように、選択された曲の紹介文を入力するための紹介文入力画面がＰＣ６のディスプレイ上に表示される（ステップＳ５）。なお、曲特定情報は、例えばライブラリプログラムにより管理されている曲情報から取得される。例えば、曲情報に含まれる当該曲の演奏時間が曲特定情報として取得される。或いは、曲情報に含まれる曲のタイトル及びアーティスト名が曲特定情報として取得される。
【００４３】
そして、ユーザは、例えばキーボードを操作して入力欄５２に紹介文を入力した後、例えばマウスを操作して送信ボタン５３を選択する。これによりＰＣ６がユーザから紹介情報の送信指示があったと判定した場合には（ステップＳ６：ＹＥＳ）、ネットワークＮＷを介して情報提供サーバ３にアクセスし、上記取得されたユーザ特定情報、上記取得された曲特定情報、及び入力された紹介文を含む紹介情報（ユーザの名前やニックネームを含んでも良い）を、情報提供サーバ３に送信する（ステップＳ７）。
【００４４】
一方、情報提供サーバ３は、ＰＣ６から送信されたユーザ特定情報、曲特定情報、及び曲の紹介情報を受信すると（ステップＳ１０）、当該紹介情報を記述したＷｅｂページを生成（例えば、予め用意されたデフォルトのＷｅｂページを構成する構造化文書内のタグに紹介情報を組み込んで生成）する（ステップＳ１１）と共に、当該ＷｅｂページのＵＲＬを生成する。ここで、生成されるＵＲＬには、スキーム名（例えば、http）、ホスト名（サーバ名）、パス名、及びファイル名（Ｗｅｂページを構成する構造化文書ファイルのファイル名）等を含んで構成されており、例えば、このファイル名には、上記特定されたユーザ特定情報と曲特定情報とが暗号化された値が含まれている。なお、ユーザ特定情報と曲特定情報とが暗号化された値は、ＵＲＬクエリーストリングとして当該ＵＲＬ中に設定（ＵＲＬ中の“?UID&MID=”の後に設定）されるように構成しても良い。また、このＵＲＬ中のユーザ特定情報と曲特定情報とが暗号化された値以外の部分は、「紹介文を書く」ボタン５１が選択された際に、情報提供サーバ３により生成され、当該情報提供サーバ３からＰＣ６に送信されて上記紹介文入力画面上に表示されるように構成しても良い。
【００４５】
そして、情報提供サーバ３は、上記生成したＷｅｂページをネットワークライブラリ３１に登録し（ステップＳ１２）、上記生成したＷｅｂページのＵＲＬを、上記受信したユーザ特定情報と曲特定情報の組に対応付けてＵＲＬ管理データベース３２に登録する（ステップＳ１３）。
（Ｗｅｂページ取得動作）
先ず、図５等を参照して、Ｗｅｂページ取得動作を説明する。
【００４６】
図５は、曲再生装置１の制御部１９におけるＵＲＬ提供処理を示すフローチャートである。
【００４７】
上記Ｗｅｂページ登録動作において、ＰＣ６を用いて曲の紹介情報が記述されたＷｅｂページをネットワークライブラリ３１に登録したユーザは、ＵＳＢメモリＭｂを携帯して施設（例えばクラブ）に行く。そして、当該施設において、当該ユーザが選曲者（例えばＤＪ）として曲を選曲するに当たりＵＳＢメモリＭｂを曲再生装置１のＵＳＢポート１６に接続すると、制御部１９によりＵＳＢメモリＭｂからユーザＩＤが読み込まれ、当該ユーザＩＤがログインしたユーザのユーザＩＤとしてＲＡＭの所定領域に記憶される。
【００４８】
そして、当該ユーザは、曲再生装置１の装着部１３に例えばＣＤをセットし、選曲者として操作部１８により所望の曲を選曲して再生ボタンを押下すると、曲再生部１４により当該ＣＤから曲の再生が開始され、施設に来ていたユーザはスピーカから出力された曲を聴取する。この再生ボタンを押下する直前に、当該ユーザは、選曲した曲の紹介情報が記述されたＷｅｂページの配信有無を操作部１８により設定することができる。例えば、ユーザが見つけた曲を他者に教えたくない場合、当該ユーザは配信無に設定する。
【００４９】
再生ボタンにより曲の再生が開始されると、図５に示す処理も開始され、制御部１９は、再生された曲の紹介情報が記述されたＷｅｂページを配信するか否かを判定する（ステップＳ２１）。例えば選曲者により配信有に設定されている場合、制御部１９は、Ｗｅｂページを配信すると判定し（ステップＳ２１：ＹＥＳ）、ステップＳ２２に進む。一方、例えば選曲者により配信無に設定されている場合、制御部１９は、Ｗｅｂページを配信しないと判定し（ステップＳ２１：ＮＯ）、ステップＳ２３に進む。
【００５０】
ステップＳ２２では、制御部１９は、再生された曲がネットワークライブラリ３１に登録される曲であるか否かを判定する。例えば、制御部１９は、ネットワークＮＷを介して公知のＣＤＤＢにアクセスし、上記ＣＤから読み取られたＴＯＣ情報をＣＤＤＢに送信することにより、上記再生された曲の曲情報がＣＤＤＢから取得できた場合には、再生された曲がネットワークライブラリ３１に登録される曲であると判定し（ステップＳ２２：ＹＥＳ）、ステップＳ２４に進む。一方、例えば、選曲者が作成した自作のＣＤに記録された曲であって、ＣＤＤＢに登録されていない曲であれば、再生された曲の曲情報がＣＤＤＢから取得できないので、再生された曲がネットワークライブラリ３１に登録される曲でないと判定され（ステップＳ２２：ＮＯ）、ステップＳ２３に進む。
【００５１】
ステップＳ２３では、制御部１９は、外部装置出力ポート１７を介してデフォルトの画面のデータをＵＲＬ提供装置２に出力し、当該デフォルトの画面をディスプレイ２２に表示させる。
【００５２】
ステップＳ２４では、制御部１９は、再生された曲を特定するための曲特定情報を取得する。例えば、制御部１９は、ＣＤから読み取られたＴＯＣ情報に含まれる当該曲の演奏時間を曲特定情報として取得する。或いは、制御部１９は、ＣＤＤＢから取得された曲情報に含まれる曲のタイトル及びアーティスト名を曲特定情報として取得する。
【００５３】
ステップＳ２５では、制御部１９は、選曲者がログインしているか否かを判定する。上述したように、選曲者がＵＳＢメモリＭｂを曲再生装置１のＵＳＢポート１６に接続することによりログインしている場合、制御部１９は、選曲者がログインしていると判定し（ステップＳ２５：ＹＥＳ）、ステップＳ２７に進む。一方、制御部１９は、選曲者がログインしていないと判定した場合には（ステップＳ２５：ＮＯ）、ステップＳ２６に進む。
【００５４】
ステップＳ２６では、制御部１９は、ネットワークＮＷを介して情報提供サーバ３にアクセスし、上記ステップＳ２４で取得された曲特定情報を情報提供サーバ３に送信することにより、当該送信された曲特定情報に対応付けられてＵＲＬ管理データベース３２に登録されているデフォルト設定のＷｅｂページのＵＲＬ（上記曲特定情報が暗号化された値が含まれている）を情報提供サーバ３から取得する。このＷｅｂページには、当該再生された曲に関してデフォルト設定された紹介情報が記述されている。
【００５５】
ステップＳ２７では、制御部１９は、当該再生された曲の選曲者としてのユーザのユーザ特定情報を取得する。例えばＵＳＢメモリＭｂから読み込まれＲＡＭに記憶されたユーザＩＤが取得される。なお、ユーザ特定情報の取得方法としては、ＵＳＢメモリＭｂから取得することに限定されるものではなく、例えば操作部１８からユーザＩＤが入力されユーザ特定情報として取得されても良いし、曲再生装置１に接続される指紋認証機器から当該ユーザの指紋を表す指紋情報が入力されユーザ特定情報として取得されるものであっても良い。
【００５６】
次いで、制御部１９は、ログインしている選曲者によりネットワークライブラリ３１に登録されたＷｅｂページがあるか否かを判定する（ステップＳ２８）。制御部１９は、ネットワークＮＷを介して情報提供サーバ３にアクセスし、上記ステップＳ２４で取得された曲特定情報及び上記ステップＳ２６で取得されたユーザ特定情報を送信することにより、Ｗｅｂページの登録を問い合わせる。情報提供サーバ３は、曲再生装置１から送信された曲特定情報及びユーザ特定情報を受信すると、ＵＲＬ管理データベース３２を参照して、当該曲特定情報とユーザ特定情報の組に対応付けられて登録されているＷｅｂページのＵＲＬを検索する。そして、情報提供サーバ３は、上記検索によりＷｅｂページのＵＲＬを抽出できた場合には、上記受信されたユーザ特定情報に対応する選曲者により登録されたＷｅｂページがある旨を示す情報及び上記抽出されたＵＲＬをネットワークＮＷを介して曲再生装置１に返信する。一方、情報提供サーバ３は、上記検索によりＷｅｂページのＵＲＬを抽出できない場合には、選曲者により登録されたＷｅｂページがない旨を示す情報及び上記受信された曲特定情報のみに対応付けられて登録されているデフォルト設定のＷｅｂページのＵＲＬをネットワークＮＷを介して曲再生装置１に返信する。なお、このＵＲＬには、上記曲特定情報が暗号化された値が含まれているが、これに加えて、上記受信されたユーザ特定情報＋デフォルト値が暗号化された値が組み込まれる。
【００５７】
そして、制御部１９は、選曲者により登録されたＷｅｂページがある旨を示す情報及び当該ＷｅｂページのＵＲＬを、情報提供サーバ３から受信すると、ログインしている選曲者によりネットワークライブラリ３１に登録されたＷｅｂページがあると判定し（ステップＳ２８：ＹＥＳ）、当該ＷｅｂページのＵＲＬを取得し（ステップＳ２９）、ステップＳ３１に進む。
【００５８】
一方、制御部１９は、選曲者により登録されたＷｅｂページがない旨を示す情報及びデフォルト設定のＷｅｂページのＵＲＬを、情報提供サーバ３から受信すると、ログインしている選曲者によりネットワークライブラリ３１に登録されたＷｅｂページがないと判定し（ステップＳ２８：ＮＯ）、当該デフォルト設定のＷｅｂページのＵＲＬを取得し（ステップＳ３０）、ステップＳ３１に進む。
【００５９】
ステップＳ３１では、制御部１９は、上記取得したＵＲＬを含む情報の出力処理を実行する。この出力処理において、制御部１９は、上記取得したＵＲＬをＱＲコードに変換し、当該変換されたＱＲコードを外部装置出力ポート１７を介してＵＲＬ提供装置２に出力する。ＵＲＬ提供装置２は、曲再生装置１から出力されたＱＲコードを受信すると、このＱＲコードをディスプレイ２２に表示する。これにより、スピーカから出力された曲を施設内で聴取しているユーザは、例えば自身が座っている席のテーブル上に設置されているＵＲＬ提供装置２のディスプレイ２２上に表示されたＱＲコードを携帯端末５のカメラで簡単に取得することができる。なお、ＵＲＬをＱＲコード以外の２次元コード（マトリックス型又はスタック型）に変換して出力するように構成しても良い。
【００６０】
そして、スピーカから出力された曲を施設内で聴取しているユーザは、この曲のタイトル等の曲情報を知りたい場合や、当該曲を購入したい場合、自身の携帯端末５のカメラを操作しディスプレイ２２に表示されているＱＲコードを写すと、当該携帯端末５により該ＱＲコードが読み取られＵＲＬが抽出される。そして、当該ユーザの操作により携帯端末５のＷｅｂブラウザは、抽出されたＵＲＬにしたがってネットワークＮＷを介して情報提供サーバ３にアクセスし、Ｗｅｂページをリクエストすると、当該情報提供サーバ３からＷｅｂページが提供される。こうして、携帯端末５のディスプレイ上には情報提供サーバ３から提供されたＷｅｂページが表示される。
【００６１】
図６は、再生された曲の紹介情報が記述されたＷｅｂページの表示例を示す図であり、（Ａ）は、ステップＳ２９で取得されたＵＲＬに対応するＷｅｂページの表示例であり、（Ｂ）は、ステップＳ３０で取得されたＵＲＬに対応するＷｅｂページの表示例である。図６（Ａ）に示すＷｅｂページには、上記ログインした選曲者（SAKAさん）により登録された曲の紹介情報が表示されていると共に、当該曲のダウンロードボタン（曲を購入するためのボタン）６１等が設けられている。一方、図６（Ｂ）に示すＷｅｂページには、デフォルト設定された、曲の紹介情報が表示されていると共に、当該曲のダウンロードボタン（購入ボタン）６２等が設けられている。
【００６２】
携帯端末５のユーザは、再生された曲をダウンロード（購入）したい場合、ダウンロードボタン６１又は６２を選択すると、携帯端末５のＷｅｂブラウザは、当該ダウンロードボタン６１又は６２に埋め込まれたリンクにしたがって曲配信サーバにアクセスしてダウンロード要求を行い、所定の決済処理を経て当該曲をダウンロードする。
【００６３】
ここで、例えば図６（Ａ）に示すＷｅｂページ上のダウンロードボタン６１が選択された場合のダウンロード要求には、当該ＷｅｂページのＵＲＬ中のユーザ特定情報と曲特定情報とが暗号化された値が含まれることになる。一方、図６（Ｂ）に示すＷｅｂページ上のダウンロードボタン６２が選択された場合のダウンロード要求には、当該ＷｅｂページのＵＲＬ中の曲特定情報が暗号化された値と、ユーザ特定情報＋デフォルト値が暗号化された値とが含まれることになる。
【００６４】
そして、曲配信サーバは、上記ダウンロード要求から抽出した値を復号してユーザ特定情報と曲特定情報とを得た場合、上記抽出したユーザ特定情報に対応する選曲者に対して当該曲の販売価格の例えば５０％を還元するための処理を行う。この処理では、例えば、当該選曲者のユーザ特定情報に対応付けて販売価格の例えば５０％に相当するポイント（点数）を、例えばユーザの課金情報を管理するデータベース（図示せず）に登録する。この場合、当該選曲者の選曲による功績に加えて、当該選曲者が作成した紹介情報が記述されたＷｅｂページを通じて当該曲の販売が行われたので、当該選曲者の功績が大きいと考えられるため、当該選曲者に対して還元される割合は大きい。
【００６５】
一方、曲配信サーバは、ダウンロード要求から抽出した値を復号してユーザ特定情報＋デフォルト値を得た場合、上記抽出したユーザ特定情報に対応する選曲者に対して当該曲の販売価格の例えば１０％を還元するための処理を行う。この処理では、例えば、当該選曲者のユーザ特定情報に対応付けて販売価格の例えば１０％に相当するポイント（点数）を、例えばユーザの課金情報を管理するデータベース（図示せず）に登録する。この場合、当該選曲者の選曲による功績はあるが、デフォルト設定された紹介情報が記述されたＷｅｂページを通じて当該曲の販売が行われたので、当該選曲者に対して還元される割合は小さい。
【００６６】
なお、上記ステップＳ３１の出力処理において、スピーカから出力された曲を施設内で聴取しているユーザが携帯端末５の代わりにＵＳＢメモリＭａを持っており、当該ユーザによりＵＳＢメモリＭａがＵＲＬ提供装置２のＵＳＢポート２１に接続されている場合がある。この場合、曲再生装置１の制御部１９は、ＵＲＬ提供装置２からの要求に応じて、上記取得したＵＲＬを外部装置出力ポート１７を介してＵＲＬ提供装置２に出力する。ＵＲＬ提供装置２は、曲再生装置１から出力されたＵＲＬを受信すると、このＵＲＬを、ＵＳＢポート２１に接続されているＵＳＢメモリＭａに転送し記憶させる。なお、ユーザはＵＳＢメモリＭａを曲再生装置１のＵＳＢポートに接続して当該曲再生装置１からＵＲＬをＵＳＢメモリＭａに出力するように構成しても良い。そして、当該ユーザは、ＵＲＬが記憶されたＵＳＢメモリＭａを例えば自宅へ持ち帰り、ＵＳＢメモリＭａをＰＣ４のＵＳＢポートに接続する。そして、当該ユーザの操作によりＰＣ４のＷｅｂブラウザは、ＵＳＢメモリＭａから取得したＵＲＬにしたがってネットワークＮＷを介して情報提供サーバ３にアクセスし、Ｗｅｂページをリクエストすると、当該情報提供サーバ３からＷｅｂページが提供される。こうして、ＰＣ４のディスプレイ上には情報提供サーバ３から提供されたＷｅｂページが表示される。なお、その後の処理は、携帯端末５の場合と同様である。
【００６７】
また、上記ステップＳ３１の出力処理の別の例として、ＵＲＬ提供装置２に近距離無線通信機能（例えば、赤外線通信機能や電磁誘導による非接触通信機能（非接触ＩＣカード技術採用））を備えさせ、当該近距離無線通信機能によりＵＲＬ提供装置２から携帯端末５にＵＲＬを無線送信するように構成しても良い。或いは、ＵＲＬ提供装置２にメール送信機能を備えさせ、ＵＲＬ提供装置２から、上記聴取しているユーザにより設定されたメールアドレス宛に、上記ＵＲＬが記述された電子メールが送信され、当該ユーザのＰＣ４や携帯端末５により取得されるように構成しても良い。
【００６８】
以上説明したように、上記実施形態によれば、曲再生装置１は、選曲者により選曲された曲の再生中に、当該再生された曲を特定するための曲特定情報を取得すると共に、当該再生された曲を選曲したユーザを特定するためのユーザ特定情報を取得し、当該曲特定情報とユーザ特定情報とに基づいて、再生された曲の紹介情報が記述されたＷｅｂページのＵＲＬを取得し、このＵＲＬを含む情報をＵＲＬ提供装置２に出力するように構成したので、施設内にいるユーザは当該施設内で流れている曲が誰の何という曲であるのかを容易に知ることができ、ユーザに対して潜在的な曲購入機会を掘り起こすことができる。また、選曲者にとっては自らの選曲で利益を生み出す機会ができる。
【００６９】
なお、上記実施形態においては、選曲者はＣＤに記録された曲を選曲するように構成したが、曲再生装置１の記憶部１２に記録されている曲を選曲するように構成しても良い。
【００７０】
また、上記実施形態において、曲再生装置は例えばカーナビゲーション装置に搭載されるものであっても良い。
【符号の説明】
【００７１】
１  曲再生装置
２  ＵＲＬ提供装置
３  情報提供サーバ
４，６  ＰＣ
５  携帯端末
１１  通信部
１２  記憶部
１３  装着部
１４  曲再生部
１５  曲出力部
１６  ＵＳＢポート
１７  外部装置出力ポート
１８  操作部
１９  制御部
Ｓ  情報提供システム
ＮＷ  ネットワーク
【図１】
2011191518.tif 000003
【図２】
2011191518.tif 000004
【図３】
2011191518.tif 000005
【図４】
2011191518.tif 000006
【図５】
2011191518.tif 000007
【図６】
2011191518.tif 000008